(57)【要約】【課題】モニタに表示された映像を汎用の画像データとして外部の記憶媒体に保存させることのできる監視用テレビカメラシステムを提供すること。【解決手段】撮像を行い映像信号を出力する１つまたは複数のテレビカメラ２−１，２−２，２−３と、映像信号を記憶する記憶装置１６と、テレビカメラからの映像信号を処理して記憶装置に記憶させると共に、記憶装置に記憶されている映像信号又はテレビカメラから出力された映像信号を映像としてモニタに表示させ、モニタに表示された映像を汎用の画像データとして外部の記録媒体Ｍｍに保存させることのできるコントローラ１０と、を具備する。【選択図】　図１
2004128534.tif 000002
【特許請求の範囲】
【請求項１】
撮像を行い映像信号を出力する１つまたは複数のテレビカメラと；
映像信号を記憶する記憶装置と；
テレビカメラからの映像信号を処理して記憶装置に記憶させると共に、記憶装置に記憶されている映像信号又はテレビカメラから出力された映像信号を映像としてモニタに表示させ、モニタに表示された映像を汎用の画像データとして外部の記録媒体に保存させることのできるコントローラと；
を具備したことを特徴とする監視用テレビカメラシステム。
【発明の詳細な説明】
【０００１】
【発明の属する技術分野】
本発明はテレビカメラが撮像した映像を表示及び記憶する監視用テレビカメラシステムに関する。
【０００２】
【従来の技術】
例えば以下の特許文献１に示されるように、従来の店舗等の監視用テレビカメラシステムは、テレビカメラが撮像した映像をモニタに表示するとともに及びＶＴＲやハードディスク等の記憶装置にデジタル信号として記憶できるようになっている。
【０００３】
そして記憶された映像は、適宜呼び出して再生ができるように構成されている。
【０００４】
【特許文献１】
特開２００１−２８５８４５号公報
【０００５】
【発明が解決しようとする課題】
上記した従来の監視用テレビカメラシステムでは、記憶装置に記憶されている任意の映像を適宜再生させてモニタに表示することはできるが、その映像を別の記録媒体にコピーして、汎用のパソコンでその映像を確認するためには、専用の変換ソフトウェアが必要であり、また、画像を印刷しようとした場合には、モニタのアナログ画像信号をビデオプリンタ等で印刷することしかできなかった。
【０００６】
そこで、本発明は、モニタに表示された映像を汎用の画像データとして外部の記憶媒体に保存させることのできる監視用テレビカメラシステムを提供することを目的とする。
【０００７】
【課題を解決するための手段】
本発明の監視用テレビカメラシステムは、撮像を行い映像信号を出力する１つまたは複数のテレビカメラと、映像信号を記憶する記憶装置と、前記テレビカメラからの映像信号を処理して前記記憶装置に記憶させると共に、記憶装置に記憶されている映像信号又はテレビカメラから出力された映像信号を映像としてモニタに表示させ、モニタに表示された映像を汎用の画像データとして外部の記録媒体に保存させることのできるコントローラとを具備したことを特徴とする。
【０００８】
【発明の実施の形態】
以下、発明の実施の形態を図面を参照して説明する。
【０００９】
図１及び図２は本発明に係る監視用テレビカメラシステムの実施の形態を示し、図１はシステム全体のブロック図、図２はコントローラのブロック図である。
【００１０】
図１において、監視用テレビカメラシステム１は、撮像を行い映像信号を出力する複数のテレビカメラ２−１，２−２，２−３・・・と、記憶媒体９に映像信号の記憶を行う記憶装置（図２の記憶装置１６）と、映像信号を画面に映像表示するモニタ３−１，３−２，３−３・・・と、前記テレビカメラからの映像信号を処理して前記記憶装置及びモニタ３−１，３−２・・・に出力するコントローラ１０とを備えている。コントローラ１０には、人物の侵入をタッチセンサや赤外センサの信号により検出する複数の外部センサ４−１，４−２・・・が接続され、通信回線を介して警備会社などの外部装置５と情報の送受信を行うように構成されている。また、コントローラ１０には、リモート操作装置６の手動操作によってもシステムの設定を行うようになっている。
【００１１】
コントローラ１０は、前記テレビカメラ２−１，２−２，２−３からの映像信号を処理して前記記憶装置に出力するとともに、前記テレビカメラ２−１，２−２，２−３・・・からの映像信号の変化、または、外部センサ４−１，４−２・・・からの入力により人物の侵入の判別を行い、この判別結果が人物の侵入となった場合に前記記憶装置にその人物の映像信号を確実に記憶できるように前記テレビカメラ２−１，２−２，２−３・・・及び記憶装置の少なくとも一方の動作変更を行うとともに、この人物の映像信号に再生の際の検索用のデータを多重して前記記憶装置に出力する。しかしながら、コントローラ１０が外部センサ４−１，４−２・・・と接続されていないときは、テレビカメラ２−１，２−２，２−３・・・からの映像信号を常時記憶装置１６に出力して、記憶装置はその映像信号を常時記憶しても良い。
またコントローラは、外部の書込装置Ｗと接続され、記憶装置に記憶されている映像信号又はテレビカメラから出力された映像信号を映像としてモニタに表示させ、モニタに表示された映像をＪＰＥＧ、ＢＭＰ，ＴＩＦＦ，ＧＩＦＦ形式などの汎用の画像データとして外部の書込装置に組み入れられた例えばメモリーカードなどの記録媒体Ｍｍに保存させる。
【００１２】
図２において、コントローラ１０は、主制御回路１１と、時計回路１２と、操作表示部１３と、バス１４と、センサＩ／Ｏ部１５と、記憶装置１６と、外部装置Ｉ／Ｆ部１７と、カメラ信号Ｉ／Ｆ部１８と、信号判定回路１９と、ビデオデコーダ２０，ビデオエンコーダ２１と、モニタ出力Ｉ／Ｆ部２２と、リモート操作Ｉ／Ｆ部２３と、電源検知判定回路２４と、ダイオード２５と、バッテリ部２６と、電源部２７とから構成されている。
【００１３】
時計回路１２は、主制御回路１１の制御に基づき、計時動作を行い時刻データを主制御回路１１に出力する。
【００１４】
操作表示部１３は、手動操作に基づいて主制御回路１１に操作データを供給するとともに、故障通知手段となっており主制御回路１１の制御に基づき警報またはアラーム表示を行う。
【００１５】
センサＩ／Ｏ部１５は、端子３１を介して図１の複数の外部センサ４−１，４−２・・・に接続されており、主制御回路１１からバス１４を介して供給される制御信号を複数の外部センサ４−１，４−２に出力したり、外部センサ４−１，４−２の検出信号をバス１４を介して主制御回路１１に供給する。
【００１６】
カメラ信号Ｉ／Ｆ部１８は、入力端子３２を介して図１の複数のテレビカメラ２−１，２−２，２−３・・・が接続されており、複数のテレビカメラ２−１，２−２，２−３・・・の映像信号に対して信号調整処理を行い、信号判定回路１９に供給する。信号判定回路１９は、供給される映像信号から人物の侵入の判別を行い、この判別結果のデータを主制御回路１１に供給するとともに、供給される映像信号をビデオデコーダ２０に供給する。ビデオデコーダ２０は、供給される映像信号をデジタル画像データにデコードし、バス１４を介して記憶装置１６に供給するとともにビデオエンコーダ２１に供給する。記憶装置１６は、供給されるデジタル画像データを図１の記憶媒体９に記憶するとともに、再生モードにおいて、記憶媒体９に記憶したデジタル画像データを再生しバス１４を介して記憶装置１６に供給する。ビデオエンコーダ２１は供給されるデジタル画像データをエンコードし、映像信号を再生してモニタ出力Ｉ／Ｆ部２２に供給する。
【００１７】
モニタ出力Ｉ／Ｆ部２２は、出力端子３３を介して図１の複数のモニタ３−１，３−２・・・が接続されており、ビデオエンコーダ２１からの映像信号に対して信号調整処理を行い、複数のモニタ３−１，３−２・・・に供給して映像表示させる。
【００１８】
リモート操作Ｉ／Ｆ部２３は、入力端子３４を介して図１のリモート操作装置６が接続されており、主制御回路１１からバス１４を介して供給される制御データをリモート操作装置６に出力するとともに、リモート操作装置６からの操作データをバス１４を介して主制御回路１１に供給する。
【００１９】
外部装置Ｉ／Ｆ部１７は、入力端子３５を介して図１の外部装置５が接続されており、主制御回路１１からバス１４を介して供給される制御データを外部装置５に出力するとともに、外部装置５からの入力をバス１４を介して主制御回路１１に供給する。
【００２０】
入力端子３６には、商用交流電源電圧を整流平滑した直流電源電圧が導かれている。入力端子３６に導かれた直流電源電圧Ｖ１は、電源検知判定回路２４，ダイオード２５を介して電源部２７に供給されるとともに、バッテリ部２６に供給される。バッテリ部２６は、電源のバックアップを行う電源バックアップ手段となっており、入力端子３６からの直流電源電圧Ｖ１により充電を行い、直流電源が停電となった場合、電力を放出して電源部２７に供給する。電源検知判定回路２４は、電源が停電した否かを検出する電源検出手段になっており、入力端子３６からの直流電源電圧Ｖ１から直流電源が停電した否かを検出し、この検出結果を主制御回路１１に供給する。電源部２７は、供給される直流電源電圧を適切な複数の制御電源に変換して各回路に供給する。
【００２１】
コントローラ１０は、主制御回路１１の制御により、前記テレビカメラ２−１，２−２，２−３・・・からの映像信号をビデオデコーダ２０によりデジタル画像データに変換して前記記憶装置１６に記憶するとともに、このデジタル画像データの１つの単位毎に、時計回路１２からの時刻データに基づいた記憶時間及び記憶順序を画像データ単位識別のインデックス情報として前記記憶装置１６に記憶し、前記記憶装置１６の再生の際に前記インデックス情報を基にデジタル画像データを検索できるようにしている。
【００２２】
また、コントローラ１０は、主制御回路１１がテレビカメラ２−１，２−２，２−３・・・、前記記憶装置１６、モニタ３−１，３−２・・・及びコントローラの故障検出を行う故障検出手段となっており、この故障検出手段の検出結果が故障を示した場合、故障通知手段の外部装置５や操作表示部１３を制御して警報またはアラーム表示の少なくとも一方で通知する。
【００２３】
また、コントローラ１０は、主制御回路１１がテレビカメラ２−１，２−２，２−３・・・、記憶装置１６、モニタ３−１，３−２・・・及びコントローラ１０の故障または復帰の検出を行う故障または復帰検出手段となっており、コントローラ１０には、この故障または復帰検出手段の検出結果が故障または復帰を示した場合、故障または復帰の内容、故障または復帰時のテレビカメラ、記憶装置１６、モニタ３−１，３−２・・・及びコントローラ１０の装置状態を故障または復帰発生時刻とともに記憶し、ある一定の故障履歴として保持する図示しない故障履歴保持手段が設けられている。故障履歴保持手段が保持する故障履歴は、モニタ３−１，３−２・・・等に故障発生時刻の新旧いずれかの順でも表示できる。
【００２４】
以上説明したように、このような実施の形態によれば、コントローラ１０は、テレビカメラからの映像信号を処理して記憶装置に記憶させると共に、記憶装置に記憶されている映像信号又はテレビカメラから出力された映像信号を映像としてモニタに表示させ、モニタに表示された映像を汎用の画像データとして外部の記録媒体Ｍｍに保存させることができるため、汎用のパソコンでその画像を確認することが可能となり、また、画像の印刷も、容易となる。
【００２５】
なお、上記の実施の形態では、コントローラ１０と記憶装置１６を一体に設けたが、別体で設けても良い。また、故障履歴保持手段は、記憶装置１６の記録媒体でもよく、不揮発性メモリ等、記憶装置１６とは別の記憶手段でもよい。
【００２６】
【発明の効果】
コントローラは、テレビカメラからの映像信号を処理して記憶装置に記憶させると共に、記憶装置に記憶されている映像信号又はテレビカメラから出力された映像信号を映像としてモニタに表示させ、モニタに表示された映像を汎用の画像データとして外部の記録媒体に保存させることができるため、汎用のパソコンでその画像を確認することが可能となり、また画像の印刷も容易にできる監視用テレビカメラシステムが提供できる。
【図面の簡単な説明】
【図１】本発明に係る監視用テレビカメラシステムの実施の形態を示すシステム全体のブロック図。
【図２】図１のコントローラのブロック図。
【符号の説明】
２−１，２−２，２−３：テレビカメラ　　　　　３−１，３−２：モニタ
１０：コントローラ　　　　　　　　　　　　　　１２：時計回路
１６：記憶装置　　　　　　　　　　　　　　　　Ｗ：書込装置
Ｍｍ：記録媒体
【図１】
2004128534.tif 000003
【図２】
2004128534.tif 000004